(57)【特許請求の範囲】
【請求項１】
通信回線を介して相互に接続された複数のレピータを備えた中継システムと、該中継システムを介して通信を行う複数の無線通信装置と、から構成される無線通信システムで用いられるレピータであって、
自身のレピータの使用が許可された無線通信装置が属するグループを識別するグループ識別情報を１以上記憶したグループ識別情報記憶手段と、
前記通信回線を介して接続された他のレピータから、前記他のレピータと通信を行っている無線通信装置が属するグループを識別するグループ識別情報、及び、当該無線通信装置から前記他のレピータに要求された通信の内容を表す通信情報を受信する通信情報受信手段と、
前記通信情報受信手段が受信した前記グループ識別情報が、前記グループ識別情報記憶手段が記憶した前記１以上のグループ識別情報のいずれとも一致しない場合に、前記通信情報受信手段が受信した前記通信情報により表される通信の内容に基づいて、前記他のレピータの通信状態を表す他レピータ通信状態情報を無線で送信する制御を行う制御手段と、
を備えることを特徴とするレピータ。
【請求項２】
前記制御手段は、前記通信情報受信手段が受信した前記グループ識別情報が、前記グループ識別情報記憶手段が記憶した前記１以上のグループ識別情報のいずれかと一致する場合に中継処理を行う、
ことを特徴とする請求項１に記載のレピータ。
【請求項３】
前記通信情報受信手段は、通信範囲に滞在する前記無線通信装置から、前記無線通信装置が属するグループを識別するグループ識別情報を受信し、
前記制御手段は、前記通信情報受信手段が受信した前記グループ識別情報が、前記グループ識別情報記憶手段が記憶した前記１以上のグループ識別情報のいずれかと一致する場合に中継処理を行う、
ことを特徴とする請求項１又は２に記載のレピータ。
【請求項４】
通信回線を介して相互に接続された複数のレピータを備えた中継システムと、該中継システムを介して通信を行う複数の無線通信装置と、から構成される無線通信システムで用いられる無線通信装置であって、
前記レピータから無線で送信された、前記通信回線を介して接続された他のレピータの通信状態を表す他レピータ通信状態情報を受信する受信手段と、
自身が属するグループに設定された使用が許可されたレピータを識別するレピータ識別情報を１以上記憶したレピータ識別情報記憶手段と、
前記レピータ識別情報記憶手段に記憶された前記レピータ識別情報により識別される前記使用が許可されたレピータが、前記他レピータ通信状態情報を送信した前記レピータ以外にあると判別した場合に前記他レピータ通信状態情報に基づいて前記他のレピータの通信状態を通知する制御を行い、前記使用が許可されたレピータが前記他レピータ通信状態情報を送信した前記レピータ以外にないと判別した場合に前記他のレピータの通信状態を通知する制御を行わない制御手段と、
前記制御手段によって行われる前記制御に従って前記他のレピータの通信状態を通知する通知手段と、
を備えることを特徴とする無線通信装置。
【請求項５】
自身が属するグループを識別するグループ識別情報を記憶したグループ識別情報記憶手段をさらに備え、
前記受信手段は、前記レピータから送信される、前記レピータ又は前記他のレピータを介して通信を行っている無線通信装置が属するグループを識別するグループ識別情報を受信し、
前記制御手段は、前記受信手段が受信した前記グループ識別情報が、前記グループ識別情報記憶手段が記憶したグループ識別情報と一致する場合に、前記無線通信装置との間で行う通信を制御し、前記グループ識別情報と一致しない場合に、前記無線通信装置との通信を行わない代わりに、前記レピータの通信状態を前記通知手段に通知させる、
ことを特徴とする請求項４に記載の無線通信装置。
【請求項６】
通信回線を介して相互に接続された複数のレピータを備えた中継システムと、該中継システムを介して通信を行う複数の無線通信装置と、から構成される無線通信システムであって、
前記レピータは、
自身のレピータの使用が許可された無線通信装置が属するグループを識別するグループ識別情報を１以上記憶したグループ識別情報記憶手段と、
前記通信回線を介して接続された他のレピータから、前記他のレピータと通信を行っている無線通信装置が属するグループを識別するグループ識別情報、及び、当該無線通信装置から前記他のレピータに要求された通信の内容を表す通信情報を受信する通信情報受信手段と、
前記通信情報受信手段が受信した前記グループ識別情報が、前記グループ識別情報記憶手段が記憶した前記１以上のグループ識別情報のいずれとも一致しない場合に、前記通信情報受信手段が受信した前記通信情報により表される通信の内容に基づいて、前記他のレピータの通信状態を表す他レピータ通信状態情報を無線で送信する制御を行う制御手段と、を備え、
前記無線通信装置は、
前記レピータから無線で送信された、前記通信回線を介して接続された他のレピータの通信状態を表す他レピータ通信状態情報を受信する受信手段と、
自身が属するグループに設定された使用が許可されたレピータを識別するレピータ識別情報を１以上記憶したレピータ識別情報記憶手段と、
前記レピータ識別情報記憶手段に記憶された前記レピータ識別情報により識別される前記使用が許可されたレピータが、前記他レピータ通信状態情報を送信した前記レピータ以外にあると判別した場合に前記他レピータ通信状態情報に基づいて前記他のレピータの通信状態を通知する制御を行い、前記使用が許可されたレピータが前記他レピータ通信状態情報を送信した前記レピータ以外にないと判別した場合に前記他のレピータの通信状態を通知する制御を行わない制御手段と、
前記制御手段によって行われる前記制御に従って前記他のレピータの通信状態を通知する通知手段と、を備える、
ことを特徴とする無線通信システム。
【発明の詳細な説明】
【技術分野】
【０００１】
本発明は、無線通信装置、レピータ、及び無線通信システムに関する。
【背景技術】
【０００２】
無線通信には、いわゆるレピータを経由して無線通信装置同士の通信を行う方法がある。無線通信装置からレピータへの送信のアップリンクと、レピータから無線通信装置への送信のダウンリンクとの周波数又はタイムスロットを変えて、同時に通信することにより、無線通信装置同士で通信を行うことができる。
【０００３】
ネットワークを介して複数のレピータを接続して１つの無線通信システムとし、複数のレピータの通信範囲により無線通信システムの通信エリアが構成される。通常はレピータごとに通信チャネル（アップリンクとダウンリンクの周波数）が決まっている。無線通信装置は、自身が滞在しているレピータの通信範囲のレピータのチャネルを選択してレピータとの間で通信を行う。すなわち、そのレピータのダウンリンクの周波数で呼び出しを待ち受け、また、そのレピータのアップリンクの周波数で他の無線通信装置の呼び出しを行う。
【０００４】
この種の技術として、例えば、特許文献１には、無線通信装置が任意のレピータを指定して、指定したレピータの通信範囲の他の無線通信装置を一斉に呼び出す無線通信システムが開示されている。
【先行技術文献】
【特許文献】
【０００５】
【特許文献１】特開２００７−２９５１３５号公報
【発明の概要】
【発明が解決しようとする課題】
【０００６】
こうした無線通信システムにおいて、ネットワーク接続された複数のレピータのうち、何れかのレピータが無線通信装置から通信フレームを受信した場合には、各レピータがそれぞれ通信中の状態になる。つまり、ネットワークを介して接続された複数のレピータは、あたかも「１台のレピータ」であるかのように動作する。
【０００７】
しかしながら、無線通信装置の使用者は、各レピータの使用状態を知ることができないという問題があった。そのため、無線通信装置の使用者は、ネットワーク接続された複数のレピータのうち、何れかのレピータが使用中であるにもかかわらず、何度も通信を試みる操作を行うことがあった。
【０００８】
本発明は、上述のような問題を解決するためになされたものであり、無線通信装置の使用者が、ネットワーク上のレピータの使用の可否を判断することができる、レピータ、無線通信装置、及び無線通信システムを提供することを目的とする。
【課題を解決するための手段】
【０００９】
本発明の第１の観点に係るレピータは、
通信回線を介して相互に接続された複数のレピータを備えた中継システムと、該中継システムを介して通信を行う複数の無線通信装置と、から構成される無線通信システムで用いられるレピータであって、
自身のレピータの使用が許可された無線通信装置が属するグループを識別するグループ識別情報を１以上記憶したグループ識別情報記憶手段と、
前記通信回線を介して接続された他のレピータから、前記他のレピータと通信を行っている無線通信装置が属するグループを識別するグループ識別情報、及び、当該無線通信装置から前記他のレピータに要求された通信の内容を表す通信情報を受信する通信情報受信手段と、
前記通信情報受信手段が受信した前記グループ識別情報が、前記グループ識別情報記憶手段が記憶した前記１以上のグループ識別情報のいずれとも一致しない場合に、前記通信情報受信手段が受信した前記通信情報により表される通信の内容に基づいて、前記他のレピータの通信状態を表す他レピータ通信状態情報を無線で送信する制御を行う制御手段と、
を備える。
【００１０】
また、前記制御手段は、前記通信情報受信手段が受信した前記グループ識別情報が、前記グループ識別情報記憶手段が記憶した前記１以上のグループ識別情報のいずれかと一致する場合に中継処理を行うように構成しても良い。
【００１１】
また、前記通信情報受信手段は、通信範囲に滞在する前記無線通信装置から、前記無線通信装置が属するグループを識別するグループ識別情報を受信し、前記制御手段は、前記通信情報受信手段が受信した前記グループ識別情報が、前記グループ識別情報記憶手段が記憶した前記１以上のグループ識別情報のいずれかと一致する場合に中継処理を行うように構成しても良い。
【００１２】
本発明の第２の観点に係る無線通信装置は、
通信回線を介して相互に接続された複数のレピータを備えた中継システムと、該中継システムを介して通信を行う複数の無線通信装置と、から構成される無線通信システムで用いられる無線通信装置であって、
前記レピータから無線で送信された、前記通信回線を介して接続された他のレピータの通信状態を表す他レピータ通信状態情報を受信する受信手段と、
自身が属するグループに設定された使用が許可されたレピータを識別するレピータ識別情報を１以上記憶したレピータ識別情報記憶手段と、
前記レピータ識別情報記憶手段に記憶された前記レピータ識別情報により識別される前記使用が許可されたレピータが、前記他レピータ通信状態情報を送信した前記レピータ以外にあると判別した場合に前記他レピータ通信状態情報に基づいて前記他のレピータの通信状態を通知する制御を行い、前記使用が許可されたレピータが前記他レピータ通信状態情報を送信した前記レピータ以外にないと判別した場合に前記他のレピータの通信状態を通知する制御を行わない制御手段と、
前記制御手段によって行われる前記制御に従って前記他のレピータの通信状態を通知する通知手段と、
を備える。
【００１５】
また、自身が属するグループを識別するグループ識別情報を記憶したグループ識別情報記憶手段をさらに備え、前記受信手段は、前記レピータから送信される、前記レピータ又は前記他のレピータを介して通信を行っている無線通信装置が属するグループを識別するグループ識別情報を受信し、前記制御手段は、前記受信手段が受信した前記グループ識別情報が、前記グループ識別情報記憶手段が記憶したグループ識別情報と一致する場合に、前記無線通信装置との間で行う通信を制御し、前記グループ識別情報と一致しない場合に、前記無線通信装置との通信を行わない代わりに、前記レピータの通信状態を前記通知手段に通知させるように構成しても良い。
【００１６】
本発明の第３の観点に係る無線通信システムは、
通信回線を介して相互に接続された複数のレピータを備えた中継システムと、該中継システムを介して通信を行う複数の無線通信装置と、から構成される無線通信システムであって、
前記レピータは、
自身のレピータの使用が許可された無線通信装置が属するグループを識別するグループ識別情報を１以上記憶したグループ識別情報記憶手段と、
前記通信回線を介して接続された他のレピータから、前記他のレピータと通信を行っている無線通信装置が属するグループを識別するグループ識別情報、及び、当該無線通信装置から前記他のレピータに要求された通信の内容を表す通信情報を受信する通信情報受信手段と、
前記通信情報受信手段が受信した前記グループ識別情報が、前記グループ識別情報記憶手段が記憶した前記１以上のグループ識別情報のいずれとも一致しない場合に、前記通信情報受信手段が受信した前記通信情報により表される通信の内容に基づいて、前記他のレピータの通信状態を表す他レピータ通信状態情報を無線で送信する制御を行う制御手段と、
を備え、
前記無線通信装置は、
前記レピータから無線で送信された、前記通信回線を介して接続された他のレピータの通信状態を表す他レピータ通信状態情報を受信する受信手段と、
自身が属するグループに設定された使用が許可されたレピータを識別するレピータ識別情報を１以上記憶したレピータ識別情報記憶手段と、
前記レピータ識別情報記憶手段に記憶された前記レピータ識別情報により識別される前記使用が許可されたレピータが、前記他レピータ通信状態情報を送信した前記レピータ以外にあると判別した場合に前記他レピータ通信状態情報に基づいて前記他のレピータの通信状態を通知する制御を行い、前記使用が許可されたレピータが前記他レピータ通信状態情報を送信した前記レピータ以外にないと判別した場合に前記他のレピータの通信状態を通知する制御を行わない制御手段と、
前記制御手段によって行われる前記制御に従って前記他のレピータの通信状態を通知する通知手段と、
を備える。
【発明の効果】
【００１７】
本発明によれば、無線通信装置の使用者は、ネットワーク上のレピータの使用の可否を判断することができる。
【図面の簡単な説明】
【００１８】
【図１】本発明の一実施の形態に係る無線通信システムの構成図である。
【図２】本発明の一実施の形態に係る無線通信装置のブロック図である。
【図３】本発明の一実施の形態に係るレピータのブロック図である。
【図４】無線通信装置が記憶しているグループ情報のデータ構造の一例を示す図である。
【図５】レピータが記憶しているマルチテーブルの構成例を示す図である。
【図６】本発明の一実施の形態におけるレピータ通信中情報及びレピータ通信終了情報の通知手順を説明するシーケンス図である。
【発明を実施するための形態】
【００１９】
本発明に係る無線通信システムの一実施の形態について、図面を参照して説明する。本実施の形態に係る無線通信システム１００は、図１に示すように、ネットワークＮに接続されている複数のレピータ２Ａ〜２Ｃを備える。また、無線通信システム１００は、複数の無線通信装置１Ａ〜１Ｌを備える。また、ネットワークＮにはサーバＳが接続されている。無線通信システム１００は、複数のレピータ２Ａ〜２Ｃを、それぞれ地理的に分散し、これらを、ネットワークＮを介して接続することにより、通信エリアの広域化を図る。
【００２０】
無線通信システム１００において、無線通信装置１同士の通信は、レピータ２を介して行われる。また、無線通信システム１００において、異なるレピータ２の通信範囲に滞在している無線通信装置１同士の通信は、ネットワークＮを経由して行う。無線通信システム１００は、ネットワークＮにより接続された複数のレピータ２Ａ〜２Ｃにより、あたかも「１台のレピータ」であるかのように動作する。
【００２１】
特に、無線通信システム１００において、各無線通信装置１は、それぞれ、同じグループに属する無線通信装置１との間で通信を行う。ここで、グループとは、例えば、団体や会社等の単位を表す。つまり、無線通信装置１は、互いに同じ団体や会社等のグループに属する無線通信装置１との間でのみ通信を行い、互いに異なる団体や会社等のグループに属する無線通信装置１との間では通信を行わない。
【００２２】
また、各無線通信装置１は、グループ毎に使用可能な１又は複数のレピータ２が予め設定されている。つまり、本実施の形態に係る無線通信システム１００は、互いに異なるグループに属する各無線通信装置１が、同じレピータ２を使用可能であると設定されることもあり、各レピータ２は公共性を有している。
【００２３】
図１において、無線通信装置１Ａ〜１Ｃは、グループＧ１に属し、使用可能なレピータ２として、レピータ２Ａ〜２Ｃが設定されている。また、無線通信装置１Ｄ，１Ｅは、グループＧ２に属し、使用可能なレピータ２として、レピータ２Ａが設定されている。また、無線通信装置１Ｆ〜１Ｉは、グループＧ３に属し、使用可能なレピータ２として、レピータ２Ａが設定されている。また、無線通信装置１Ｊ〜１Ｌは、グループＧ４に属し、使用可能なレピータ２として、レピータ２Ｂ，２Ｃが設定されている。
【００２４】
各無線通信装置１は、自身の無線通信装置１が属するグループを識別するグループＩＤと、使用可能なレピータ２を識別するレピータＩＤとを対応付けて記憶している。例えば、無線通信装置１Ａは、図４に示すように、無線通信装置１Ａが属するグループＧ１を識別するグループＩＤ（Ｇ１）と、使用可能なレピータ２Ａ〜２Ｃを識別するレピータＩＤ（ｒＡ，ｒＢ，ｒＣ）とを対応付けて記憶している。
【００２５】
また、各無線通信装置１は、それぞれ、使用可能なレピータ２により割り当てられた各チャネルを選択して通信を行う。例えば、グループＧ１に属する無線通信装置１Ａは、レピータ２Ａの通信範囲ではレピータ２Ａのチャネルを選択し、また、レピータ２Ｂの通信範囲ではレピータ２Ｂのチャネルを選択して通信を行う。
【００２６】
各レピータ２は、自身のレピータ２を使用可能な無線通信装置１のグループを識別するグループＩＤをグループ毎に表すテーブル（以下、マルチテーブルという）に記憶している。これにより、レピータ２のマルチテーブルに記憶されているグループＩＤと同じグループＩＤを持つ無線通信装置１は、そのレピータ２を介して、同じグループに属する無線通信装置１との間で通信を行うことができる。
【００２７】
レピータ２Ａは、図５（ａ）に示すように、グループＧ１，Ｇ２，Ｇ３のそれぞれを識別する各グループＩＤ（Ｇ１，Ｇ２，Ｇ３）をマルチテーブルに記憶している。レピータ２Ｂは、図５（ｂ）に示すように、グループＧ１，Ｇ４のそれぞれを識別する各グループＩＤ（Ｇ１，Ｇ４）をマルチテーブルに記憶している。レピータ２Ｃは、図５（ｃ）に示すように、グループＧ１，Ｇ４のそれぞれを識別する各グループＩＤ（Ｇ１，Ｇ４）をマルチテーブルに記憶している。
【００２８】
また、図１に示すように、レピータ２Ａ〜２Ｃのアップリンク（無線通信装置１からレピータ２へ行う通信）の周波数は、それぞれＦＡ〜ＦＣとする。また、レピータ２Ａ〜２Ｃのダウンリンク（レピータ２から無線通信装置１へ行う通信）の周波数は、それぞれｆＡ〜ｆＣとする。例えば、無線通信装置１Ａは、レピータ２Ａのダウンリンクの周波数ｆＡによりレピータ２Ａから取得した呼び出しを待ち受け、レピータ２Ａのアップリンクの周波数ＦＡによりレピータ２Ａへ呼び出しを行う。
【００２９】
１つのレピータ２において、アップリンクとダウンリンクを１組にして同時に通信できるチャネル数（同時通信チャネル数）は、レピータ２の構成による。以下、本実施の形態の各レピータ２の同時通信チャネル数は、１組であるものとして説明する。レピータ２の同時通信チャネル数が１組である場合、例えば、レピータ２Ａが、その通信範囲に滞在している無線通信装置１と通信を行っている場合や、ネットワークＮを介して他のレピータ２Ｂまたはレピータ２Ｃの通信範囲に滞在している無線通信装置１と通信を行っている場合、そのレピータ２Ａは、他の無線通信装置１との間で通信を行うことができなくなる。また、この場合、レピータ２Ａ以外のレピータ２Ｂ，２Ｃも使用中の状態になる。
【００３０】
なお、各無線通信装置１の通信形態には、無線通信装置１と同じグループに属する全ての無線通信装置１と通話を行うグループ通話、グループを所定の範囲（例えば、部、課、班等）に細分化し、細分化された範囲毎に通話を行う範囲指定通話、及びグループ内の無線通信装置１を個別に指定して通話を行う個別指定通話等があるが、本実施の形態では、説明の便宜上、グループ通話の形態のみを説明する。
【００３１】
また、ネットワークＮは、例えば、ＬＡＮ（Local Area Network）を用いる。ネットワークＮは、その他、回線交換網、パケット交換網、インターネット、専用線網を用いても良い。また、ネットワークＮは、このような有線通信網に限らず、例えば無線ＬＡＮなどの無線通信網を用いても良い。
【００３２】
また、サーバＳは、ネットワークＮを介して接続されているレピータ２Ａ〜２Ｃのネットワークアドレス等を記憶している。サーバＳは、例えば、ＤＮＳ（Domain Name System）サーバ又はＤＨＣＰ（Dynamic Host Configuration Protocol）サーバ等を用いる。
【００３３】
このように構成された無線通信システム１００において、各レピータ２は、自身のレピータ２の通信状態又はネットワークＮを介して接続された他のレピータ２の通信状態を、それぞれの通信範囲に滞在し、レピータ２Ａ〜２Ｃを使用していない無線通信装置１に通知し、各無線通信装置１の使用者が、レピータ２の使用の可否を判断できるようにすることを実現する。
【００３４】
次に、図２を参照して、本実施の形態に係る無線通信装置１の構成を説明する。無線通信装置１は、図２に示すように、信号系のブロックとして、アンテナ１０、送受信切換部１１、送信部１２、ベースバンド処理部１３、Ａ／Ｄ変換部１４、マイク１５、受信部１６、ベースバンド処理部１７、Ｄ／Ａ変換部１８、スピーカ１９を備えている。また、無線通信装置１は、制御系のブロックとして、コントローラ２０、計時部２５、表示部２６、操作部２７を備えている。さらに、コントローラ２０は、ＣＰＵ（中央演算ユニット）２１、Ｉ／Ｏ（入出力部）２２、ＲＡＭ（読み書き可能メモリ）２３、ＲＯＭ（読み出し専用メモリ）２４、及びこれらを互いに接続する内部バス２８を備えている。
【００３５】
無線通信装置１の信号系の各ブロックは、ＣＰＵ２１によって制御される。ＣＰＵ２１は、ＲＯＭ２４に記憶されている制御プログラムを実行して無線通信装置１の全体を制御し、Ｉ／Ｏ２２を介して操作部２７から入力されるコマンドやデータ、及びベースバンド処理部１７から得られるデータを処理してＲＡＭ２３に一時的に記憶する。また、ＣＰＵ２１は、必要に応じて記憶したコマンドやデータをＬＣＤ（Liquid Crystal Display）などからなる表示部２６に表示する。また、ＣＰＵ２１は、計時部２５から得られる現在時刻を表示部２６に表示する。なお、コントローラ２０は、無線通信装置１の固有の識別情報を記録したフラッシュメモリ等の書き換え可能な不揮発性メモリカードが着脱可能に装着される構成であっても良い。
【００３６】
次に、信号系の各ブロックに関して、送受信切換部１１は、入力端がアンテナ１０に接続され、出力端がＣＰＵ２１の制御に応じて、送信部１２と受信部１６に択一的に接続される。操作部２７により発信操作がされないときには、この無線通信装置１は受信（待受）モードになっており、送受信切換部１１の出力端は受信部１６に接続されている。一方、操作部２７により送信操作がされたときは、この無線通信装置は送信モードになり、送受信切換部１１の出力端は送信部１２に接続される。操作部２７は、例えば、ＰＴＴ（Ｐｕｓｈ  ｔｏ  ｔａｌｋ）スイッチを構成する。
【００３７】
無線通信装置１が送信モードのときには、マイク１５はユーザの音声入力に応じて、アナログの音声信号をＡ／Ｄ変換部１４に出力する。
【００３８】
Ａ／Ｄ変換部１４は、マイク１５から取得したアナログ音声信号をデジタル音声信号に変換してベースバンド処理部１３に出力する。
【００３９】
ベースバンド処理部１３は、Ａ／Ｄ変換部１４から取得したデジタル音声信号に基づいて、あるいはコントローラ２０のＲＡＭ２３に記憶されているデータに基づいて、所定のフォーマットの通信フレーム（ベースバンド信号）を生成して送信部１２に出力する。
【００４０】
送信部１２は、ベースバンド処理部１３から取得した通信フレームを用いて搬送波を変調し、送受信切換部１１及びアンテナ１０を介してレピータ２に送信する。送信部１２の変調方式には、ＧＭＳＫ（Gaussian filtered Minimum Shift Keying）、ＰＳＫ（Phase Shift Keying）、ＱＡＭ（Quadrature Amplitude Modulation）、又はＦＳＫ（Frequency Shift Keying）などが用いられる。
【００４１】
無線通信装置１が受信モードのときには、送受信切換部１１はアンテナ１０と受信部１６とを接続する。受信部１６は、無線通信装置１との間で無線通信を行うレピータ２から取得した無線信号を、アンテナ１０を介して受信する。受信部１６は、受信信号を増幅すると共に復調処理などの信号処理を施して、その復調信号をベースバンド処理部１７に出力する。
【００４２】
ベースバンド処理部１７は、受信部１６から出力された復調信号から通信フレームを抽出する。さらに、抽出した通信フレームのヘッダ部の情報をＣＰＵ２１に出力する。ＣＰＵ２１は、ヘッダ部の情報を分析して、その受信信号の送信先が自身の場合には、データ部に含まれている音声信号のデータをＤ／Ａ変換部１８に出力させる。また、ＣＰＵ２１は、データ部に含まれている音声信号以外のデータをＲＡＭ２３に一時的にストアすると共に必要に応じて表示部２６に表示する。Ｄ／Ａ変換部１８は、ベースバンド処理部１７から取得した音声信号をデジタルからアナログに変換してスピーカ１９から発音させる。
【００４３】
次に、図３を参照して、本実施の形態に係るレピータ２の構成を説明する。レピータ２は、図３に示すように、信号系のブロックとして、送信専用のアンテナ３０Ｓ、送信部３２、ベースバンド処理部３３、受信専用のアンテナ３０Ｒ、受信部３６、ベースバンド処理部３７、入力部３４、出力部３８、ネットワークＩ／Ｆ（インターフェース）３５を備えている。また、レピータ２は、制御系のブロックとして、コントローラ４０、計時部４５、表示部４６、操作部４７を備えている。さらに、コントローラ４０は、ＣＰＵ（中央演算ユニット）４１、Ｉ／Ｏ（入出力部）４２、ＲＡＭ（読み書き可能メモリ）４３、ＲＯＭ（読み出し専用メモリ）４４、及びこれらを互いに接続する内部バス４８を備えている。
【００４４】
レピータ２（例えば、レピータ２Ａ）は、送信元の無線通信装置１（例えば、無線通信装置１Ａ）から受信した無線信号を増幅処理や波形処理などの信号処理を行って、送信先の無線通信装置１（例えば、無線通信装置１Ｂ）又はネットワークＮを介して他のレピータ２に送信するので、基本的には図２に示した無線通信装置１と同様の構成を備えている。したがって、図２に示した無線通信装置１の構成要素と基本的に同じものについては、説明を省略する。
【００４５】
レピータ２を経由して無線通信装置１同士が行う通信において、無線通信装置１からレピータ２への送信のアップリンクと、レピータ２から無線通信装置１への送信のダウンリンクとは、周波数又はタイムスロットを変えて実質的に同時に通信を行う。したがって、レピータ２は送信専用のアンテナ３０Ｓ及び受信専用のアンテナ３０Ｒを備えている。入力部３４は、ネットワークＮ、ネットワークＩ／Ｆ３５を介して、他のレピータ２から受信した通信フレームを入力し、これをベースバンド処理部３３に出力する。出力部３８は、ベースバンド処理部３７から出力された通信フレームを入力し、ネットワークＩ／Ｆ３５、ネットワークＮを介して、他のレピータ２に送信する。
【００４６】
次に、図１及び図６を参照して、無線通信システム１００における各無線通信装置１及び各レピータ２の動作を説明する。ここでは、使用者が無線通信装置１Ｊを用いて、無線通信装置１Ｊと同じグループＧ４に属する無線通信装置１とグループ通話を行う場合の、各無線通信装置１及び各レピータ２の動作を説明する。
【００４７】
使用者は、無線通信装置１Ｊの操作部２７を用いて、無線通信装置１Ｊと同じグループに属する無線通信装置１との間でグループ通話を開始する操作を行う。具体的には、無線通信装置１Ｊの使用者がグループ通話を開始する際、使用者が操作部２７（例えば、ＰＴＴスイッチ）を数秒間、押し続けると、通信フレームには、「操作部２７が押されたこと（ＰＴＴスイッチが押されたこと）」を示すコードが書き込まれる。また、通信フレームには、無線通信装置１Ｊが属するグループＧ４を識別するグループＩＤ（Ｇ４）が発グループＩＤ、無線通信装置１Ｊの装置を識別する装置ＩＤ（１Ｊ）が発装置ＩＤ、送信先（通話相手）のグループＧ４を識別するグループＩＤ（Ｇ４）が着グループＩＤに設定される。この通信フレームがグループ通話開始を要求する最初の通信フレームとなる。
【００４８】
無線通信装置１Ｊは、生成した通信フレームに変調処理等を施し、グループ通話の開始を要求する信号（以下、通話開始要求信号という）として、レピータ２Ｂのアップリンクの周波数ＦＢにより、レピータ２Ｂに無線で送信する（図６のステップＳ１）。なお、各種ＩＤ及びコード等は、予め無線通信装置１Ｊに記憶されており、通信フレームは、自動的に生成される。
【００４９】
レピータ２Ｂは、無線通信装置１Ｊから送信された通話開始要求信号を受信し、通話開始要求信号から通信フレームを抽出する。レピータ２Ｂは、抽出した通信フレームに含まれる発グループＩＤ（Ｇ４）が、レピータ２Ｂにおいて記憶されている図４（ｂ）に示すマルチテーブル（Ｇ１，Ｇ４）に含まれているか否かを判定する。発グループＩＤ（Ｇ４）がマルチテーブルに含まれている場合に、レピータ２Ｂは、抽出した通信フレームに含まれる「操作部２７が押されたこと（ＰＴＴスイッチが押されたこと）」を示すコードに基づいて、使用を許可する旨の応答を行う通信フレームを生成する。具体的には、この通信フレームには、無線通信装置１Ｊが着装置ＩＤに設定され、「使用許可」を示すコードが書き込まれる。レピータ２Ｂは、使用を許可する旨の応答を行う通信フレームに変調処理等を施し、これを応答信号として、レピータ２Ｂのダウンリンクの周波数ｆＢにより、レピータ２Ｂの通信範囲に無線で送信する（図６のステップＳ２）。
【００５０】
無線通信装置１Ｊは、レピータ２Ｂから送信された応答信号を受信し、応答信号から通信フレームを抽出する。無線通信装置１Ｊは、抽出した通信フレームに含まれる着装置ＩＤ及び「使用許可」を示すコード等から、レピータ２Ｂの使用が許可されたことを判定し、スピーカ１９や表示部２６等を介して（例えば、緑色に発光するＬＥＤ等を点灯して）、無線通信装置１Ｊの使用者に通話を開始して良い状態であることを通知する。これに応じて、使用者は、通話を開始する。なお、グループ通話を行っている間は、前述した操作部２７が使用者により押し続けられるものとし、この間、無線通信装置１Ｊは、グループ通話を行うための通信フレームを所定の時間毎に生成し、送信する。
【００５１】
無線通信装置１Ｊは、マイク１５を介して入力された音声に各種処理を施して通信フレームを生成する。通信フレームには、前述の通話開始要求信号の生成時と同様に、グループＩＤ（Ｇ４）が発グループＩＤ、装置ＩＤ（１Ｊ）が発装置ＩＤ、グループＩＤ（Ｇ４）が着グループＩＤに設定される。また、通信フレームには、「グループ呼び出し」を示すコードが書き込まれる。
【００５２】
無線通信装置１Ｊは、前述と同じようにして、生成した通信フレームに変調処理等を施し、グループＧ４を呼び出すグループ呼び出し信号として、レピータ２Ｂのアップリンクの周波数ＦＢにより、レピータ２Ｂに無線で送信する（図６のステップＳ３）。
【００５３】
レピータ２Ｂは、無線通信装置１Ｊから送信されたグループ呼び出し信号を受信して通信フレームを抽出する。レピータ２Ｂは、前述と同じようにして、抽出した通信フレームに含まれる発グループＩＤ（Ｇ４）が、マルチテーブル（Ｇ１，Ｇ４）に含まれていることを判定した後、「グループ呼び出し」を示すコードに基づいて中継処理を行う。なお、レピータ２ＢのマルチテーブルにグループＩＤ（Ｇ４）が含まれていない場合、レピータ２Ｂは、通信フレームを破棄し、その後の通信は行わないものとする。
【００５４】
レピータ２Ｂは、この通信フレームを含んだグループ呼び出し信号を、レピータ２Ｂのダウンリンクの周波数ｆＢにより、レピータ２Ｂの通信範囲に無線で送信する（図６のステップＳ４）。
【００５５】
レピータ２Ｂの通信範囲において、グループＧ４に属する無線通信装置１（図示しない）は、レピータ２Ｂから送信されたグループ呼び出し信号を受信して通信フレームを抽出する。無線通信装置１は、抽出した通信フレームに含まれる発グループＩＤ（Ｇ４）が、自身の無線通信装置１において記憶されているグループＩＤと一致しているか否かを判定し、一致している場合に、「グループ呼び出し」を示すコードに基づいて、無線通信装置１Ｊとの間でグループ通話を行う。
【００５６】
なお、レピータ２Ｂの通信範囲において、グループＧ１に属する無線通信装置１Ｂも、レピータ２Ｂから送信されたグループ呼び出し信号をダウンリンクの周波数ｆＢにより受信する。しかし、無線通信装置１Ｂは、そのグループ呼び出し信号から抽出される通信フレームに含まれる発グループＩＤ（Ｇ４）が、無線通信装置１Ｂにおいて記憶されているグループＩＤ（Ｇ１）と一致していないので、無線通信装置１Ｊとの間でグループ通話を行わない。
【００５７】
また、レピータ２Ｂは、無線通信装置１Ｊから通信フレームを取得した時点で通信中の状態になる。この時、レピータ２Ｂの通信範囲に滞在し、レピータ２Ｂを使用可能なグループＧ１に属する無線通信装置１Ｂは、レピータ２Ｂとの間で通信を行うことができない状態になる。
【００５８】
そこで、無線通信装置１Ｂは、通信フレームに含まれる発グループＩＤ（Ｇ４）が、無線通信装置１Ｂにおいて記憶されているグループＩＤ（Ｇ１）と一致していない場合、「グループ呼び出し」を示すコードに基づいて、通信フレームを破棄するとともに、スピーカ１９や表示部２６等を介して（赤色に発光するＬＥＤ等を点灯して）、無線通信装置１Ｂの使用者に、レピータ２Ｂが使用中になったことを通知する。例えば、無線通信装置１Ｂは、ＬＥＤ等を点灯することでレピータ２Ｂが使用中であることを使用者に通知する。これにより、無線通信装置１Ｂの使用者は、レピータ２Ｂが現在使用中であることを知ることができ、レピータ２Ｂとの間で通信を試みる無駄な操作を行わなくてすむ。なお、この通知は、前述のレピータ２Ｂから送信された、使用を許可する旨の応答を行う通信フレームを含む応答信号を、無線通信装置１Ｂが受信した時に行っても良い。
【００５９】
さらに、レピータ２Ｂは、ステップＳ４で送信したグループ呼び出し信号と同じ構成のグループ呼び出し信号を、ネットワークＮを介して、レピータ２Ａ及びレピータ２Ｃに送信する（図６のステップＳ５）。この時、レピータ２Ｂは、グループ呼び出し信号をブロードキャストにより送信しても良いし、レピータ２Ａ及びレピータ２Ｃのネットワークアドレスを指定して送信しても良い。
【００６０】
レピータ２Ｂが、ネットワーク上のレピータ２Ａ及びレピータ２Ｃのネットワークアドレスを保有していない場合、レピータ２Ｂは、これらのネットワークアドレスを、図１に示すサーバＳに問い合わせても良い。この場合、レピータ２Ａ及びレピータ２Ｃのネットワークアドレスは、サーバＳにより与えられる。
【００６１】
レピータ２Ｃは、レピータ２ＢからネットワークＮを介して送信されたグループ呼び出し信号を受信して通信フレームを抽出する。レピータ２Ｃは、前述と同じようにして、抽出した通信フレームに含まれる発グループＩＤ（Ｇ４）が、レピータ２Ｃにおいて記憶されている図４（ｃ）に示すマルチテーブル（Ｇ１，Ｇ４）に含まれているか否かを判定する。
【００６２】
発グループＩＤ（Ｇ４）がマルチテーブルに含まれている場合に、レピータ２Ｃは、抽出した通信フレームに含まれる「グループ呼び出し」を示すコードに基づいて中継処理を行い、この通信フレームを含んだグループ呼び出し信号を、レピータ２Ｃのダウンリンクの周波数ｆＣにより、レピータ２Ｃの通信範囲に無線で送信する（図６のステップＳ５）。
【００６３】
レピータ２Ｃの通信範囲において、グループＧ４に属する無線通信装置１Ｋ，１Ｌは、レピータ２Ｃから送信されたグループ呼び出し信号を受信して通信フレームを抽出する。無線通信装置１Ｋ，１Ｌは、抽出した通信フレームに含まれる発グループＩＤ（Ｇ４）が、自身の無線通信装置１において記憶されているグループＩＤと一致しているか否かを判定し、一致している場合に、「グループ呼び出し」を示すコードに基づいて、無線通信装置１Ｊとの間でグループ通話を行う。
【００６４】
なお、レピータ２Ｃの通信範囲において、グループＧ１に属する無線通信装置１Ｃも、前述と同じようにして、レピータ２Ｃから送信されたグループ呼び出し信号をダウンリンクの周波数ｆＣにより受信する。しかし、無線通信装置１Ｃは、そのグループ呼び出し信号から抽出される通信フレームに含まれる発グループＩＤ（Ｇ４）が、無線通信装置１Ｃにおいて記憶されているグループＩＤ（Ｇ１）と一致していないので、無線通信装置１Ｊとの間でグループ通話を行わない。
【００６５】
また、レピータ２Ｃは、レピータ２Ｂから通信フレームを取得した時点で通信中の状態になる。この時、レピータ２Ｃの通信範囲に滞在し、レピータ２Ｃを使用可能なグループＧ１に属する無線通信装置１Ｃは、レピータ２Ｃとの間で通信を行うことができない状態になる。
【００６６】
そこで、無線通信装置１Ｃは、前述と同じようにして、「グループ呼び出し」を示すコードに基づいて、通信フレームを破棄するとともに、スピーカ１９や表示部２６等を介して（例えば、赤色に発光するＬＥＤ等を点灯して）、無線通信装置１Ｃの使用者に、レピータ２Ｃが使用中になったことを通知する。これにより、無線通信装置１Ｃの使用者は、レピータ２Ｃが現在使用中であることを知ることができ、レピータ２Ｃとの間で通信を試みる無駄な操作を行わなくてすむ。
【００６７】
一方、レピータ２Ａは、レピータ２ＢからネットワークＮを介してグループＧ４の呼び出し信号を受信し、その通信フレームを抽出する。レピータ２Ａは、抽出した通信フレームに含まれる発グループＩＤ（Ｇ４）が、レピータ２Ａにおいて記憶している図４（ａ）に示すマルチテーブル（Ｇ１，Ｇ２，Ｇ３）に含まれているか否かを判定する。レピータ２Ａは、発グループＩＤ（Ｇ４）が、マルチテーブルに含まれていない場合に、通信フレームを破棄する。
【００６８】
また、この場合、レピータ２Ａは、抽出した通信フレームに含まれる「グループ呼び出し」を示すコードに基づいて、ネットワークＮ上の他のレピータ２が使用されていることを判定し、他のレピータ２が使用中であることを表す通信フレームを生成する。通信フレームには、レピータ２Ａを識別するレピータＩＤ（ｒＡ）が発レピータＩＤ、マルチテーブルにより表される各グループＩＤ（Ｇ１，Ｇ２，Ｇ３）が着グループＩＤに設定される。また、通信フレームには「他レピータ使用中」を示すコードが書き込まれる。
【００６９】
レピータ２Ａは、それぞれ設定した各ＩＤ、コード等を含んだ通信フレームを生成し、生成した通信フレームに変調処理等を施し、これを他レピータ通信中信号として、レピータ２Ａのダウンリンクの周波数ｆＡにより、レピータ２Ａの通信範囲に無線で送信する（図６のステップＳ７）。なお、レピータ２Ａは、通信フレームに着グループＩＤ等を設定する代わりに、全グループを指定する全グループＩＤ、無線通信装置１同士の通話時の通信フレームと区別するコード等を設定することにより、他のレピータ２が通信中であることを表す通信フレームを生成し、これに基づいて前述の他レピータ通信中信号をレピータ２Ａのダウンリンクの周波数ｆＡにより、レピータ２Ａの通信範囲に無線で送信するようにしても良い。
【００７０】
また、レピータ２Ａが他のレピータ２が通信中であることを表す通信フレームを送信する間隔は、１つの通信フレームが約８０ミリ秒である場合、送信に用いられる通信フレームは、４００ミリ秒（８０ミリ秒×４＝３２０ミリ秒＋送信の開始、終了時間）程度が望ましい。なお、通信フレームの送信間隔を長くし（例えば２秒間隔）、これを取得した無線通信装置１が、他のレピータ２が使用中である情報を所定時間（例えば５秒間）保持するようにしても良い。
【００７１】
ここで、レピータ２Ａは、レピータ２ＢからネットワークＮを介して通信フレームを取得した時点で通信中の扱いになるが、レピータ２Ａは実際には使用されていない。
【００７２】
レピータ２Ａ以外にネットワークＮ上のレピータ（２Ｂ，２Ｃ）を使用可能なグループＧ１に属している無線通信装置１Ａにとっては、ネットワーク上のレピータ２Ｂ，２Ｃが実際に使用されている間は、これらが空き状態になるのを待たなければ通信を行うことができない。
【００７３】
そこで、グループＧ１に属している無線通信装置１Ａは、他レピータ通信中信号の受信に応じて、他のレピータ２が通信中であることを、スピーカ１９や表示部２６等を介して使用者に通知する。
【００７４】
具体的には、レピータ２Ａの通信範囲において、グループＧ１に属する無線通信装置１Ａは、レピータ２Ａから送信された他レピータ通信中信号を受信し、その通信フレームを抽出する。
【００７５】
無線通信装置１Ａは、抽出した通信フレームに含まれる「他レピータ使用中」を示すコードから、他レピータ２（レピータ２Ａ以外のレピータ２Ｂ，２Ｃの何れか）が使用中であることを判定し、スピーカ１９や表示部２６等を介して（例えば、赤色に発光するＬＥＤ等を点灯して）、無線通信装置１Ａの使用者に他レピータ２が使用中であることを通知する。これにより、無線通信装置１Ａの使用者は、他のレピータ２（レピータ２Ａ以外のレピータ２Ｂ，２Ｃの何れか）が現在使用中であることを知ることができ、レピータ２Ａとの間で通信を試みる無駄な操作を行わなくてすむ。
【００７６】
一方、グループＧ２に属している無線通信装置１Ｄ，１Ｅ、及びグループＧ３に属している無線通信装置１Ｆ〜１Ｉにとっては、レピータ２Ａのみを使用可能であるので、ネットワーク上のレピータ２Ｂ，２Ｃが実際に使用されている間でも、レピータ２Ａのみを用いて通信を行うことができ、レピータ２Ｂ，２Ｃが空き状態になるのを待つ必要はない。
【００７７】
そこで、グループＧ２に属する無線通信装置１Ｄ，１Ｅ、及びグループＧ３に属する無線通信装置１Ｆ〜１Ｉは、受信した他レピータ通信中信号の通信フレームに「他レピータ使用中」を示すコードが含まれていても、自身の無線通信装置１Ｄ〜１Ｉが、レピータ２Ａ以外の他のレピータ２を使用しない場合は、他のレピータ２が通信中であることを通知しないようにする。
【００７８】
具体的には、グループＧ２に属する無線通信装置１Ｄ，１Ｅは、無線通信装置１Ａと同様にして通信フレームを取得後、通信フレームに「他レピータ使用中」を示すコードが含まれている場合、レピータ２Ａ以外のレピータ２が通信中であることを判定するが、スピーカ１９や表示部２６等を介して（例えば、赤色に発光するＬＥＤ等を点灯して）、無線通信装置１Ｄ，１Ｅの使用者に他レピータ２が使用中であることを通知しない。なお、グループＧ３に属する無線通信装置１Ｆ〜１Ｉも、上記と同様にして、使用者に通知しない。
【００７９】
これにより、実際には使用されていないレピータ２Ａのみを使用可能なグループＧ２に属する無線通信装置１Ｄ，１Ｅ、及びグループＧ３に属する無線通信装置１Ｆ〜１Ｉは、ネットワークＮを介して接続された他のレピータ２（レピータ２Ｂやレピータ２Ｃ）が使用中である時に、レピータ２Ａを使用することができる。この時、レピータ２Ａは、ネットワークＮから一時的に切り離され、「単独で稼働するレピータ」であるかのように動作する。つまり、レピータ２Ａは、他のレピータ２（レピータ２Ｂ及びレピータ２Ｃ）が使用中である時には、他のレピータ２に、グループ呼び出し信号等を送信しても通信を行うことができない。したがって、レピータ２Ａは、他のレピータ２が使用中である時には、レピータ２Ａのみを使用可能な各無線通信装置１Ｄ〜１Ｉ（グループＧ２又はグループＧ３に属する無線通信装置１）から送信されるグループ呼び出し信号等の各種信号を、レピータ２Ａの通信範囲にのみ無線で送信し、ネットワークＮ側には送信しないものとする。
【００８０】
その後、使用者は、無線通信装置１Ｊの操作部２７を用いて、グループ通話を終了する操作を行う。具体的には、無線通信装置１Ｊの使用者がグループ通話を終了する際、使用者により押し続けられていた操作部２７（例えば、ＰＴＴスイッチ）から手が離れると、通信フレームには、「通話終了」を示すコードが書き込まれる。なお、通信フレームには、無線通信装置１Ｊが属するグループＧ４を識別するグループＩＤ（Ｇ４）が発グループＩＤ、無線通信装置１Ｊの装置を識別する装置ＩＤ（１Ｊ）が発装置ＩＤ、送信先（通話相手）のグループＧ４を識別するグループＩＤ（Ｇ４）が着グループＩＤに設定される。この通信フレームがグループ通話終了を表す最後の通信フレームとなる。無線通信装置１Ｊは、生成した通信フレームに変調処理等を施し、これをグループ通話終了信号として、レピータ２Ｂのアップリンクの周波数ＦＢにより、レピータ２Ｂに無線で送信する（図６のステップＳ８）。
【００８１】
レピータ２Ｂは、上記ステップＳ４と同様にして、抽出した通信フレームに含まれる発グループＩＤ（Ｇ４）が、自身の無線通信装置１において記憶されているグループＩＤと一致している場合に、「通話終了」を示すコードに基づいて、グループ通話を終了するグループ通話終了信号を生成し、これをレピータ２Ｂのダウンリンクの周波数ｆＢにより、レピータ２Ｂの通信範囲に無線で送信する（図６のステップＳ９）。
【００８２】
レピータ２Ｂの通信範囲において、グループＧ４に属する無線通信装置１（図示しない）は、レピータ２Ｂから送信されたグループ通話終了信号の通信フレームを抽出し、抽出した通信フレームに含まれる発グループＩＤ（Ｇ４）が、自身の無線通信装置１において記憶されているグループＩＤと一致している場合に、「通話終了」を示すコードに基づいて、無線通信装置１Ｊとの間で行っていたグループ通話を終了する。
【００８３】
また、レピータ２Ｂは、無線通信装置１Ｊからグループ通話終了信号の通信フレームを取得した時点で使用可能な状態になる。この時、レピータ２Ｂの通信範囲に滞在し、レピータ２Ｂを使用可能なグループＧ１に属する無線通信装置１Ｂは、レピータ２Ｂとの間で通信を行うことができる状態になる。
【００８４】
そこで、無線通信装置１Ｂは、通信フレームに含まれる発グループＩＤ（Ｇ４）が、無線通信装置１Ｂにおいて記憶されているグループＩＤ（Ｇ１）と一致していない場合、「通話終了」を示すコードに基づいて、通信フレームを破棄するとともに、スピーカ１９や表示部２６等を介して（ＬＥＤ等を消灯して）、無線通信装置１Ｂの使用者に、レピータ２Ｂが使用可能になったことを通知する。例えば、無線通信装置１Ｂは、ＬＥＤ等を消灯することでレピータ２Ｂが使用可能になったことを使用者に通知する。これにより、無線通信装置１Ｂの使用者は、レピータ２Ｂが使用できるようになったことを知ることができる。
【００８５】
さらに、レピータ２Ｂは、上記ステップＳ５と同様にして、ステップＳ９で送信したグループ通話終了信号と同じ構成のグループ通話終了信号を、ネットワークＮを介して、レピータ２Ａ及びレピータ２Ｃに送信する（図６のステップＳ１０）。
【００８６】
レピータ２Ｃは、上記ステップＳ６と同様にして、レピータ２ＢからネットワークＮを介して送信されたグループ通話終了信号を受信して通信フレームを抽出する。発グループＩＤ（Ｇ４）がマルチテーブルに含まれている場合に、レピータ２Ｃは、抽出した通信フレームに含まれる「通話終了」を示すコードに基づいて中継処理を行い、この通信フレームを含んだグループ通話終了信号を、レピータ２Ｃのダウンリンクの周波数ｆＣにより、レピータ２Ｃの通信範囲に無線で送信する（図６のステップＳ１１）。
【００８７】
レピータ２Ｃの通信範囲において、グループＧ４に属する無線通信装置１Ｋ，１Ｌは、レピータ２Ｃから送信されたグループ通話終了信号を受信して通信フレームを抽出し、抽出した通信フレームに含まれる発グループＩＤ（Ｇ４）が、自身の無線通信装置１において記憶されているグループＩＤと一致している場合に、抽出した通信フレームに含まれる「通話終了」を示すコードに基づいて、無線通信装置１Ｊとの間で行っていたグループ通話を終了する。
【００８８】
また、レピータ２Ｃは、レピータ２ＢからネットワークＮを介してグループ通話終了信号の通信フレームを取得した時点で使用可能な状態になる。この時、レピータ２Ｃの通信範囲に滞在し、レピータ２Ｃを使用可能なグループＧ１に属する無線通信装置１Ｃは、レピータ２Ｃとの間で通信を行うことができる状態になる。
【００８９】
そこで、前述と同じようにして、無線通信装置１Ｃは、通信フレームに含まれる発グループＩＤ（Ｇ４）が、無線通信装置１Ｃにおいて記憶されているグループＩＤ（Ｇ１）と一致していない場合、「通話終了」を示すコードに基づいて、通信フレームを破棄するとともに、スピーカ１９や表示部２６等を介して（ＬＥＤ等を消灯して）、無線通信装置１Ｃの使用者に、レピータ２Ｃが使用可能になったことを通知する。これにより、無線通信装置１Ｃの使用者は、レピータ２Ｃが使用できるようになったことを知ることができる。
【００９０】
一方、レピータ２Ａは、上記ステップＳ７と同様にして、レピータ２ＢからネットワークＮを介して送信されたグループ通話終了信号を受信して通信フレームを抽出し、抽出した通信フレームに含まれる発グループＩＤ（Ｇ４）が、レピータ２Ａにおいて記憶している図４（ａ）に示すマルチテーブル（Ｇ１，Ｇ２，Ｇ３）に含まれていない場合に、通信フレームを破棄する。
【００９１】
また、この場合、レピータ２Ａは、抽出した通信フレームに含まれる「通話終了」を示すコードに基づいて、ネットワークＮ上の他のレピータ２が使用可能になったことを判定し、他のレピータ２が使用可能になったことを表す通信フレームを生成する。通信フレームには、レピータ２Ａを識別するレピータＩＤ（ｒＡ）が発レピータＩＤ、マルチテーブルにより表される各グループＩＤ（Ｇ１，Ｇ２，Ｇ３）が着グループＩＤに設定される。また、通信フレームには、「他レピータ使用可能」を示すコードが書き込まれる。
【００９２】
レピータ２Ａは、それぞれ設定した各ＩＤ、コード等を含んだ通信フレームを生成し、生成した通信フレームに変調処理等を施し、これを他レピータ通信終了信号として、レピータ２Ａのダウンリンクの周波数ｆＡにより、レピータ２Ａの通信範囲に無線で送信する（図６のステップＳ１２）。
【００９３】
グループＧ１に属している無線通信装置１Ａは、他レピータ通信終了信号の受信に応じて、スピーカ１９や表示部２６等を介して（ＬＥＤ等を消灯して）、無線通信装置１Ａの使用者に、他のレピータ２が使用可能になったことを通知する。これにより、無線通信装置１Ａの使用者は、他のレピータ２（レピータ２Ａ以外のレピータ２Ｂ，２Ｃの何れか）が使用できるようになったことを知ることができる。
【００９４】
一方、グループＧ２に属している無線通信装置１Ｄ，１Ｅ、及びグループＧ３に属している無線通信装置１Ｆ〜１Ｉは、他のレピータ２が使用可能になっても、これらの無線通信装置１の使用者にとっては、他のレピータ２（レピータ２Ａ以外のレピータ２Ｂ，２Ｃの何れか）が使用できるようになったことを特に知る必要もなく、また、前述の他レピータ通信中信号の受信に応じて、スピーカ１９や表示部２６等を介して、無線通信装置１の使用者に通知していないので、この旨の通知はされなくても良い。
【００９５】
以上、本実施の形態に係る無線通信システム１００によれば、ネットワークＮを介して接続された複数のレピータ２Ａ〜２Ｃの何れかが通信を行うことにより、ネットワーク上のレピータ２が通信中の状態になった場合に、通信を行っていない他の無線通信装置１の使用者にレピータ２Ａ〜２Ｃが使用できない状態にあることを通知することができる。一方、ネットワーク上のレピータ２が通信を行える状態になった場合にも、同様に、通信を行っていない他の無線通信装置１の使用者にレピータ２Ａ〜２Ｃが使用できる状態になったことを通知することができる。これにより、無線通信装置の使用者は、無線通信装置とその通信範囲で通信を行うレピータ又はネットワークを介して接続されたその他のレピータの使用状態を知ることができ、レピータの使用の可否を判断することができる。
【００９６】
なお、本発明は、上記実施形態の説明及び図面によって限定されるものではなく、上記実施形態及び図面に適宜変更等を加えることは可能である。
【００９７】
その他、上記実施形態のハードウエア構成やフローチャートは一例であり、任意に変更及び修正が可能である。
【００９８】
ＣＰＵ、Ｉ／Ｏ、ＲＡＭ、ＲＯＭなどから構成される無線通信装置１やレピータ２のコントローラは、専用のシステムによらず、通常のコンピュータシステムを用いて実現可能である。例えば、前記の動作を実行するためのコンピュータプログラムを、コンピュータが読みとり可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する無線通信装置１又はレピータ２を構成しても良い。また、インターネット等の通信ネットワーク上のサーバ装置が有する記憶装置に当該コンピュータプログラムを格納しておき、通常のコンピュータシステムがダウンロード等することで無線通信装置１又はレピータ２を構成しても良い。
【００９９】
また、無線通信装置１又はレピータ２の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納しても良い。
【０１００】
また、搬送波にコンピュータプログラムを重畳し、通信ネットワークを介して配信することも可能である。例えば、通信ネットワーク上の掲示板(BBS, Bulletin Board System)に前記コンピュータプログラムを掲示し、ネットワークを介して前記コンピュータプログラムを配信しても良い。そして、このコンピュータプログラムを起動し、ＯＳの制御下で、他のアプリケーションプログラムと同様に実行することにより、前記の処理を実行できるように構成しても良い。
【符号の説明】
【０１０１】
１，１Ａ〜１Ｉ  無線通信装置
２，２Ａ〜２Ｃ  レピータ
１００  無線通信システム
Ｎ  ネットワーク
Ｓ  サーバ
１０  アンテナ
３０Ｓ  送信専用のアンテナ
３０Ｒ  受信専用のアンテナ
１１  送受信切換部
１２、３２  送信部
１３、１７、３３、３７  ベースバンド処理部
１４  Ａ／Ｄ変換部
１５  マイク
１６、３６  受信部
１８  Ｄ／Ａ変換部
１９  スピーカ
２０、４０  コントローラ
２１、４１  ＣＰＵ（中央演算ユニット）
２２、４２  Ｉ／Ｏ（入出力部）
２３、４３  ＲＡＭ（読み書き可能メモリ）
２４、４４  ＲＯＭ（読み出し専用メモリ）
２５、４５  計時部
２６、４６  表示部
２７、４７  操作部
２８、４８  内部バス
３４  入力部
３５  ネットワークＩ／Ｆ（インターフェース）
３８  出力部
【図１】
0005499884.tif 000002
【図２】
0005499884.tif 000003
【図３】
0005499884.tif 000004
【図４】
0005499884.tif 000005
【図５】
0005499884.tif 000006
【図６】
0005499884.tif 000007